(57)【要約】      （修正有）【課題】草刈り装置から抜け落ちることを防止できる草刈り用コードを提供する。【解決手段】草刈り用コード１０は、線状を呈するコード本体部１１と、このコード本体部１１の基端側に設けられた複数の大幅部１２と、を備えている。複数の大幅部１２は、それぞれ、コード本体部１１の基端側の部分を径方向に潰すことで形成され、コード本体部１１の幅Ｗ１と比較して大きい幅Ｗ２を有する。これら複数の大幅部１２は、コード本体部１１の長手方向に並ぶように形成され、互いにねじれの位置に配置されている。【選択図】図１
0003169521.tif 000002
【実用新案登録請求の範囲】
【請求項１】
線状を呈するコード本体部と、
前記コード本体部の基端側の部分を径方向に潰すことで形成され、前記コード本体部の幅と比較して大きい幅を有する大幅部と、を備えることを特徴とする、
草刈り用コード。
【請求項２】
前記大幅部は、幅方向の全体にわたって扁平であることを特徴とする、
請求項１に記載の草刈り用コード。
【請求項３】
前記大幅部は、前記コード本体部の長手方向に並ぶように複数形成されることを特徴とする、
請求項１または２に記載の草刈り用コード。
【請求項４】
複数の前記大幅部は、互いにねじれの位置に配置されていることを特徴とする、
請求項３に記載の草刈り用コード。
【請求項５】
前記大幅部は、前記コード本体部の基端側の部分を折り返してから潰すことで形成されることを特徴とする、
請求項１〜４のいずれかに記載の草刈り用コード。
【請求項６】
前記コード本体部は、ポリヒドロキシアルカン酸からなり、断面が円形を呈することを特徴とする、
請求項１〜５のいずれかに記載の草刈り用コード。
【請求項７】
脂肪族芳香族ポリエステル系樹脂を含有することを特徴とする、
請求項６に記載の草刈り用コード。
【請求項８】
ＪＩＳ  Ｂ０６２１−１９８４に規定される真円度が０．５５ｍｍ以下であることを特徴とする、
請求項６または７に記載の草刈り用コード。
【請求項９】
請求項１〜８のいずれかに記載の草刈り用コードと、
前記草刈り用コードが着脱可能に取り付けられる取付け部を有してなり、回転することによって前記取付け部に取り付けられた前記草刈り用コードを旋回させる回転部材と、を備え、
前記取付け部は、
前記コード本体部の径と比較して大きく、かつ前記大幅部の径と比較して小さい径を有してなり、前記回転部材の外周を前記草刈り用コードの出口として貫通する貫通孔と、
前記貫通孔における前記草刈り用コードの入口側に形成され、前記入口側から前記貫通孔に挿入された前記草刈り用コードの前記大幅部が嵌って前記草刈り用コードの自転を規制する自転規制溝と、を備えることを特徴とする、
草刈り装置。
【考案の詳細な説明】
【技術分野】
【０００１】
本考案は、草刈り用コード、およびこの草刈り用コードを備える草刈り装置に関する。
【背景技術】
【０００２】
近年、草刈り装置における円盤等の回転部材の外周に取り付けて使用する草刈り用コードが知られている（例えば、特許文献１参照）。この草刈り用コードは、回転部材の回転によって旋回して草を切り払うものであり、金属製の回転刃に代わり、一般に広まりつつある。草刈り用コードは、金属製の回転刃と比較して鋭利ではなく、旋回中に人体が触れた場合であっても、重傷に至る可能性は低い。また、草刈り用コードは、折損や摩耗の状況に応じて交換できると共に、その交換が容易である。
【０００３】
このような草刈り用コードは、草刈り装置から抜け落ちることを防止する鍔部を備えている。この鍔部は、原料となる線材の基端部分を、加熱してから平らな面に突き当てると共に押しつけることで形成される。
【先行技術文献】
【特許文献】
【０００４】
【特許文献１】特許第３５５６２０２号公報（段落［００２４］、［００２５］および図５参照）
【考案の概要】
【考案が解決しようとする課題】
【０００５】
しかしながら、上記の鍔部は、草刈り用コードにおける長手方向の厚みが小さく強度が低い。このため、鍔部を残して折損したり鍔部がよれたりして、草刈り用コードが草刈り装置から抜け落ちるおそれがあった。
【０００６】
本考案は上記課題を鑑みてなされたものであり、抜け落ちることを防止した草刈り用コード、およびこの草刈り用コードを備える草刈り装置を提供することを目的とする。
【課題を解決するための手段】
【０００７】
（１）本考案は、線状を呈するコード本体部と、前記コード本体部の基端側の部分を径方向に潰すことで形成され、前記コード本体部の幅と比較して大きい幅を有する大幅部と、を備えることを特徴とする、草刈り用コードである。
【０００８】
本考案によれば、従来の鍔部に対応する大幅部は、鍔部と比較して、草刈り用コードにおける長手方向の厚みが大きく強度が高い。これにより、大幅部を残して折損したり大幅部がよれたりして、草刈り装置から抜け落ちることが防止される。
【０００９】
（２）本考案はまた、前記大幅部は、幅方向の全体にわたって扁平であることを特徴とする、上記（１）に記載の草刈り用コードである。
【００１０】
上記考案によれば、大幅部における幅方向の一部が扁平である場合と比較して、コード本体部を潰した領域が大きく、大幅部の幅が大きい。これにより、大幅部がよれて草刈り装置から抜け落ちることがさらに防止される。
【００１１】
（３）本考案はまた、前記大幅部は、前記コード本体部の長手方向に並ぶように複数形成されることを特徴とする、上記（１）または（２）に記載の草刈り用コードである。
【００１２】
上記考案によれば、一つ目の大幅部がよれた場合であっても、二つ目以降の大幅部が引っ掛かるので、草刈り装置から抜け落ちることがさらに防止される。
【００１３】
（４）本考案はまた、複数の前記大幅部は、互いにねじれの位置に配置されていることを特徴とする、上記（３）に記載の草刈り用コードである。
【００１４】
上記考案によれば、一つ目の大幅部がよれた場合に二つ目以降の大幅部がよれる可能性は、複数の大幅部が互いに平行に配置されている場合と比較して低減される。これにより、草刈り装置から抜け落ちることがさらに防止される。
【００１５】
（５）本考案はまた、前記大幅部は、前記コード本体部の基端側の部分を折り返してから潰すことで形成されることを特徴とする、上記（１）〜（４）のいずれかに記載の草刈り用コードである。
【００１６】
上記考案によれば、大幅部は、コード本体部の基端側の部分を折り返さずに潰すことで形成される場合と比較して、肉厚に形成されるので、強度が高い。これにより、草刈り装置から抜け落ちることがさらに防止される。
【００１７】
（６）本考案はまた、前記コード本体部は、ポリヒドロキシアルカン酸からなり、断面が円形を呈することを特徴とする、上記（１）〜（５）のいずれかに記載の草刈り用コードである。
【００１８】
（７）本考案はまた、脂肪族芳香族ポリエステル系樹脂を含有することを特徴とする、上記（６）に記載の草刈り用コードである。
【００１９】
（８）本考案はまた、ＪＩＳ  Ｂ０６２１−１９８４に規定される真円度が０．５５ｍｍ以下であることを特徴とする、上記（６）または（７）に記載の草刈り用コードである。
【００２０】
上記（６）〜（８）に記載の考案によれば、コード本体部の断面を、所望の真円度（この値は、小さいほど真円に近い。詳しくは、ＪＩＳ  Ｂ０６２１−１９８４を参照されたい。）まで小さくできる。
【００２１】
（９）本考案はまた、上記（１）〜（８）のいずれかに記載の草刈り用コードと、前記草刈り用コードが着脱可能に取り付けられる取付け部を有してなり、回転することによって前記取付け部に取り付けられた前記草刈り用コードを旋回させる回転部材と、を備え、前記取付け部は、前記コード本体部の径と比較して大きく、かつ前記大幅部の径と比較して小さい径を有してなり、前記回転部材の外周を前記草刈り用コードの出口として貫通する貫通孔と、前記貫通孔に挿入された前記草刈り用コードの前記大幅部が嵌って前記草刈り用コードの自転を規制する自転規制溝と、を備えることを特徴とする、草刈り装置である。
【００２２】
上記考案によれば、草刈り用コードの自転が規制されるので、草刈り用コードを所望の姿勢に保てる。草刈り用コードを切れ味のよい姿勢に保つことで、効率よく草刈りを行える。この効果は、特に、ノコ刃タイプの草刈り用コードの場合に奏される。
【考案の効果】
【００２３】
本考案によれば、草刈り用コードが草刈り装置から抜け落ちることを防止できる。
【図面の簡単な説明】
【００２４】
【図１】本考案の第１実施形態に係る草刈り用コードの外観斜視図である。
【図２】図１におけるＡ−Ａ線に沿う断面図である。
【図３】図１に示すコード本体部の断面の真円度を説明する図である。
【図４】図１に示す草刈り用コードの生産工程を示す工程図である。
【図５】図１に示す草刈り用コードを備える草刈り装置の使用状態図である。
【図６】図５に示す回転部材の外観斜視図である。
【図７】本考案の第２実施形態に係る草刈り用コードの外観斜視図である。
【図８】本考案の第３実施形態に係る草刈り用コードの外観斜視図である。
【図９】本考案の第４実施形態に係る草刈り用コードの外観斜視図である。
【図１０】本考案の第５実施形態に係る草刈り用コードの外観斜視図である。
【図１１】本考案の第６実施形態に係る草刈り用コードの外観斜視図である。
【図１２】本考案の第７実施形態に係る草刈り用コードの外観斜視図である。
【考案を実施するための形態】
【００２５】
以下、図面を用いて、本考案の第１〜第７実施形態に係る草刈り用コードについて詳細に説明する。
【００２６】
［第１実施形態］まず、図１〜図３を用いて、草刈り用コード１０の構成について説明する。図１は、草刈り用コード１０の外観斜視図である。図２は、コード本体部１１の先端側の部分を示した部分斜視図である。図２は、図１におけるＡ−Ａ線に沿う断面図である。図３は、コード本体部１１の断面の真円度を説明する図である。
【００２７】
図１に示される草刈り用コード１０は、芝生、畦草、雑草等の草のみならず、笹、小枝等、種々の草木を刈る際に用いられる。この草刈り用コード１０は、線状を呈するコード本体部１１と、このコード本体部１１の基端側に設けられた複数（本実施形態では２個）の大幅部１２と、を備えている。
【００２８】
図１および図２に示されるコード本体部１１は、断面が円形を呈する。コード本体部１１の径は、１．６ｍｍ以上３ｍｍ以下であることが好ましく、用途に応じて設定できる。芝生用には１．６ｍｍのものが、農作地や道端の畦草・雑草用には２．０ｍｍ以上２．６ｍｍ以下のものが、それぞれ適している。畦草・雑草用としては、特に、２．４ｍｍ以上２．６ｍｍ以下のものが好ましく、２．４ｍｍまたは２．６ｍｍのものがより好ましい。コード本体部１１の長さは、例えば２００ｍｍであり、用途に応じて設定できる。
【００２９】
コード本体部１１の断面の真円度は、０．５５ｍｍ以下であることが好ましく、０．５０ｍｍ以下であることがより好ましい。真円度とは、ＪＩＳ  Ｂ０６２１−１９８４に規定されているように、円形形体（本実施形態では、コード本体部１１の断面）の幾何学的に正しい円からの狂いの大きさをいう。この真円度は、円形形体を２つの同心の幾何学的円で挟んだとき、同心円の間隔が最小となる場合の、２円の半径の差で表される。すなわち、図３に示されるように、コード本体部１１の真円度は、コード本体部１１の断面を縁取る外縁線１１ａを、互いの間隔ｄが最小となるように２つの同心の幾何学的円ＣＩ１，ＣＩ２で挟んだときの当該間隔ｄで表される。
【００３０】
コード本体部１１は、微生物が算出するポリエステルであるポリヒドロキシアルカン酸からなることが好ましい。また、コード本体部１１は、脂肪族芳香族ポリエステル系樹脂を含有することが好ましい。脂肪族芳香族ポリエステル系樹脂の含有量は、４０質量％以下が好ましく、４０質量％であることがより好ましい。
【００３１】
ポリヒドロキシアルカン酸としては、特に限定されないが、３−ヒドロキシブチレート、３−ヒドロキシヘキサノエート、３−ヒドロキシバリレート、３−ヒドロキシオクタノエート、３−ヒドロキシデカノエート等の単独重合体やそれらの共重合体が挙げられる。具体例として、３−ヒドロキシブチレートと３−ヒドロキシヘキサノエートとの共重合体が挙げられるが、この共重合体には、株式会社カネカ（大阪市北区）が市販するカネカＰＨＢＨを使用できる。
【００３２】
脂肪族芳香族ポリエステル系樹脂としては、特に限定されないが、ポリブチレンアジペートとテレフタレートとの縮合体、テトラメチレンアジペートとテレフタレートとの縮合体、ポリブチレンアジペートとテレフタレートとの縮合体等が挙げられる。ポリブチレンとテレフタレートとの縮合体には、ＢＡＳＦ社（ドイツ連邦共和国ラインラント＝プファルツ州ルートヴィヒスハーフェン）が市販するエコフレックス（商品名）を使用できる。
【００３３】
複数の大幅部１２は、それぞれ、コード本体部１１の基端側の部分（本実施形態では、基端の部分）を径方向に潰すことで形成され、コード本体部１１の幅Ｗ１と比較して大きい幅Ｗ２を有する。これら複数の大幅部１２は、幅方向の全体にわたって扁平である。また、複数の大幅部１２は、コード本体部１１の長手方向に並ぶように形成され、互いにねじれの位置に配置されている。なお、大幅部１２は、コード本体部１１の基端側の部分を折り返してから潰すことで形成されるようにしてもよい。
【００３４】
次に、草刈り用コード１０の生産工程について、図４を用いて説明する。図４は、草刈り用コード１０の生産工程を示す工程図である。
【００３５】
図４に示されるように、草刈り用コード１０の生産工程は、撹拌工程（ステップＳ１００）と、押出成形工程（ステップＳ１０１）と、冷却工程（ステップＳ１０２）と、延伸工程（ステップＳ１０３）と、熱処理工程（ステップＳ１０４）と、巻取工程（ステップＳ１０５）と、柔軟処理工程（ステップＳ１０６）と、乾燥処理工程（ステップＳ１０７）と、性能検査工程（ステップＳ１０８）と、製品加工工程（ステップＳ１０９）と、を備えている。
【００３６】
まず、撹拌工程（ステップＳ１００）において、容器内の原料が撹拌される。撹拌された原料は、押出成形工程（ステップＳ１０１）において、ダイで押し出されて糸状に成形される。糸状に成形された対象物は、冷却工程（ステップＳ１０２）において、冷却槽で冷却される。冷却された対象物は、延伸工程（ステップＳ１０３）において、延伸される。延伸された対象物は、熱処理工程（ステップＳ１０４）において、加熱される。加熱された対象物は、巻取工程（ステップＳ１０５）において、軸芯に巻き取られる。軸芯に巻き取られた対象物は、柔軟処理工程（ステップＳ１０６）において、可塑剤に浸されて柔軟処理が施される。柔軟処理が施された対象物は、乾燥処理工程（ステップＳ１０７）において、熱せられて乾燥処理が施される。乾燥処理が施された対象物は、性能検査工程（ステップＳ１０８）において、強度や寸法等の性能検査が施される。性能検査が施された対象物は、製品加工工程（ステップＳ１０９）において、コード本体部１１として所望の長さに切断されると共に、大幅部１２が形成される等して製品である草刈り用コード１０として加工される。なお、延伸工程（ステップＳ１０３）および熱処理工程（ステップＳ１０４）は、巻取工程（ステップＳ１０５）の前に、適宜複数回繰り返して施してもよい。
【００３７】
次に、草刈り用コード１０を備える草刈り装置２０について、図５および図６を用いて説明する。図５は、草刈り装置２０の使用状態図である。図６は、回転部材２３の外観斜視図である。
【００３８】
図５に示される草刈り装置２０は、把手部となるハンドル２１と、このハンドル２１に基端部分が取り付けられた柄２２と、この柄２２の先端部分に回転可能に取り付けられた円盤等の回転部材２３と、この回転部材２３を回転させるモータ等の動力源（図示省略）と、回転部材２３の外周に着脱可能に取り付けられる１本または複数本（本実施形態では、２本）の草刈り用コード１０と、等を備えている。草刈り用コード１０は、回転部材２３の回転によって旋回して草を切り払う。
【００３９】
図６に示される回転部材２３は、有頭の肉厚円筒形状を呈する。この回転部材２３は、草刈り用コード１０が着脱可能に取り付けられる取付け部２４を有する。この取付け部２４は、回転部材２３の外周を草刈り用コード１０の出口として貫通する貫通孔２５と、この貫通孔２５における草刈り用コード１０の入口側に形成され、当該入口側から貫通孔２５に挿入された草刈り用コード１０の大幅部１２が嵌って草刈り用コード１０の自転を規制する自転規制溝２６と、を備えている。貫通孔２５の径は、コード本体部１１の径と比較して大きく、かつ大幅部１２の径と比較して小さい径を有してなる。
【００４０】
［実験１］次に、コード本体部１１の断面の真円度を調べた実験１を、以下の表１に示す。実験１では、サンプルとして、径が２．６ｍｍのものを４２本使用した。なお、真円度が０．５０ｍｍ以下の場合に評価を◎とした。また、真円度が０．５０ｍｍを超え０．５５ｍｍ以下の場合に評価を○とした。さらに、真円度が０．５５ｍｍを超え０．６５以下の場合に評価を△とした。
【００４１】
【表１】
0003169521.tif 000003
【００４２】
このように、草刈り用コード１０によれば、従来の鍔部に対応する大幅部１２は、鍔部と比較して、草刈り用コード１０における長手方向の厚みが大きく強度が高い。これにより、大幅部１２を残して折損したり大幅部１２がよれたりして、草刈り用コード１０が草刈り装置２０から抜け落ちることが防止される。
【００４３】
また、大幅部１２が、幅方向の全体にわたって扁平であるので、大幅部における幅方向の一部が扁平である場合と比較して、コード本体部１１を潰した領域が大きく、大幅部１２の幅が大きい。これにより、大幅部１２がよれて草刈り装置２０から抜け落ちることがさらに防止される。
【００４４】
そして、大幅部１２が、コード本体部１１の長手方向に並ぶように複数形成されているから、一つ目の大幅部１２がよれた場合であっても、二つ目の大幅部１２が引っ掛かるので、草刈り用コード１０が草刈り装置２０から抜け落ちることがさらに防止される。
【００４５】
また、複数の大幅部１２が、互いにねじれの位置に配置されているから、一つ目の大幅部１２がよれた場合に二つ目の大幅部１２がよれる可能性は、複数の大幅部１２が互いに平行に配置されている場合と比較して低減される。これにより、草刈り用コード１０が草刈り装置２０から抜け落ちることがさらに防止される。
【００４６】
さらに、大幅部１２が、コード本体部１１の基端側の部分を折り返してから潰すことで形成されている場合には、大幅部１２は、コード本体部１１の基端側の部分を折り返さずに潰すことで形成される場合と比較して、肉厚に形成されるので、強度が高い。これにより、草刈り用コード１０が草刈り装置２０から抜け落ちることがさらに防止される。
【００４７】
次いで、コード本体部１１がポリヒドロキシアルカン酸からなる場合には、草刈り装置２０から抜け落ち、その場に残された場合であっても、自然に分解されるので、環境保全の面で優れている。そして、コード本体部１１の断面が円形であり、生産コストの面でも優れている。また、コード本体部１１がポリヒドロキシアルカン酸からなるので、断面の真円度を所望の値、例えば０．５５ｍｍ以下の値に小さくできる。
【００４８】
なお、草刈り装置２０の回転部材２３に自転規制溝２６が設けられていない場合に、コード本体部１１における断面の真円度が大きい草刈り用コード１０を旋回させると、この草刈り用コード１０は、空気を大きく受け、切れ味の悪い姿勢となる。このため、草刈り用コード１０は、コード本体部１１における断面の真円度が小さいことが好ましい。
【００４９】
また、草刈り装置２０によれば、大幅部１２が自転規制溝２６に嵌まることで、草刈り用コード１０の自転が規制されるので、草刈り用コード１０を所望の姿勢に保てる。草刈り用コード１０を切れ味のよい姿勢に保つことで、効率よく草刈りを行える。この効果は、特に、草刈り用コード１０に代えて、線状を呈するノコ刃タイプの草刈り用コードを用いる場合に奏される。
【００５０】
［第２実施形態］次に、図７を用いて、第２実施形態に係る草刈り用コード３０の構成について説明する。図７は、草刈り用コード３０の外観斜視図である。
【００５１】
なお、第２実施形態に係る草刈り用コード３０の特徴部分のみを説明し、第１実施形態に係る草刈り用コード１０と同様の構成要件、作用、および効果についての説明は、図面に符号を付す等して省略する。後述する第３〜第６実施形態についても、特徴部分のみを説明し、他の実施形態と同様の構成要件、作用、および効果についての説明は、図面に符号を付す等して省略する。
【００５２】
図７に示される草刈り用コード３０は、第１実施形態に係る草刈り用コード１０と比較すると、複数の大幅部１２を備えることに代えて、複数の大幅部３２を備えている。複数の大幅部３２は、互いに平行に配置されている。
【００５３】
［第３実施形態］次に、図８を用いて、第３実施形態に係る草刈り用コード４０の構成について説明する。図８は、草刈り用コード４０の外観斜視図である。
【００５４】
図８に示される草刈り用コード４０は、第１実施形態に係る草刈り用コード１０と比較すると、複数の大幅部１２を備えることに代えて、１個の大幅部４２を備えている。
【００５５】
［第４実施形態］次に、図９を用いて、第４実施形態に係る草刈り用コード５０の構成について説明する。図９は、草刈り用コード５０の外観斜視図である。
【００５６】
図９に示される草刈り用コード５０は、第３実施形態に係る草刈り用コード４０と比較すると、大幅部４２を備えることに代えて、配置の異なる大幅部５２を備えている。この大幅部５２は、コード本体部１１の基端側の部分（本実施形態では、基端から所定の間隔をおいた部分）に形成されている。
【００５７】
［第５実施形態］次に、図１０を用いて、第５実施形態に係る草刈り用コード６０の構成について説明する。図１０は、草刈り用コード６０の外観斜視図である。
【００５８】
図１０に示される草刈り用コード６０は、第３実施形態に係る草刈り用コード４０と比較すると、大幅部４２を備えることに代えて、形状の異なる大幅部６２を備えている。この大幅部６２は、３方向に突出した形状を呈する。
【００５９】
［第６実施形態］次に、図１１を用いて、第６実施形態に係る草刈り用コード７０の構成について説明する。図１１は、草刈り用コード７０の外観斜視図である。
【００６０】
図１１に示される草刈り用コード７０は、第３実施形態に係る草刈り用コード４０と比較すると、大幅部４２を備えることに代えて、形状の異なる大幅部７２を備えている。この大幅部７２は、４方向に突出した形状を呈する。
【００６１】
［第７実施形態］次に、図１２を用いて、第７実施形態に係る草刈り用コード８０の構成について説明する。図１２は、草刈り用コード８０の外観斜視図である。
【００６２】
図１２に示される草刈り用コード８０は、第３実施形態に係る草刈り用コード４０と比較すると、大幅部４２を備えることに代えて、大幅部８２を備えている。この大幅部８２は、コード本体部１１の基端側の部分を折り返してから潰すことで形成される。
【００６３】
本考案は、上記各実施形態に限られるものではなく、その趣旨および技術思想を逸脱しない範囲で種々の変形が可能である。
【００６４】
すなわち、上記各実施形態において、各原料の配合比率、各構成要件の数量、形状、大きさは適宜変更できる。例えば、コード本体部１１の径や長さ、断面の真円度、あるいは大幅部１２の数や形状等が挙げられる。
【００６５】
すなわち、上記各実施形態において、コード本体部１１は、断面が円形を呈するが、線状を呈するものであればよく、例えば、断面が楕円形、角形、星型等、種々のパターンのものであってもよい。また、コード本体部１１は、線状を呈するノコ刃タイプのものであってもよい。
【００６６】
あるいは、上記各実施形態の構成要素を、可能な範囲で他の実施形態に適用してもよい。例えば、各実施形態において、第７実施形態のように、大幅部を、コード本体部１１の基端側の部分を折り返してから潰すことで形成するようにしてもよい。
【産業上の利用可能性】
【００６７】
本考案に係る草刈り用コードは、コード型草刈り装置に適用できる。
【符号の説明】
【００６８】
１０，３０，４０，５０，６０，７０，８０  草刈り用コード
１１  コード本体部
１１ａ  外縁線
１２，３２，４２，５２，６２，７２，８２  大幅部
２０  草刈り装置
２１  ハンドル
２２  柄
２３  回転部材
２４  取付け部
２５  貫通孔
２６  自転規制溝
ＣＩ１，ＣＩ２  幾何学的円
ｄ  間隔
【図１】
0003169521.tif 000004
【図２】
0003169521.tif 000005
【図３】
0003169521.tif 000006
【図４】
0003169521.tif 000007
【図５】
0003169521.tif 000008
【図６】
0003169521.tif 000009
【図７】
0003169521.tif 000010
【図８】
0003169521.tif 000011
【図９】
0003169521.tif 000012
【図１０】
0003169521.tif 000013
【図１１】
0003169521.tif 000014
【図１２】
0003169521.tif 000015